(57)【要約】      本発明は自体的に長期間陰イオンを発生して周辺空気を浄化して健康を増進するのみならず、適当な強度で自体振動することにより頭皮部分をマッサージする機能と血液循環を助けて健康増進に役立つ機能性半円柱型枕に関するもので、本発明の半円柱型枕は局部的自体振動機能と陰イオン発生機能を有する半円柱形状の枕において、前記振動発生部は枕本体の内部に一定空間を形成して振動モーターを設置し、前記振動モーターに振動子が連結されて構成され、前記振動子は一定個所に突起を形成しその突起は枕の表面に形成された溝に一定高さ突出するように構成され、前記陰イオン発生部を枕に付着するための付着部があり、陰イオンを発生する本体部で構成されて前記付着部が枕の陰イオン付着部に付着され、前記振動発生部と前記陰イオン発生部を収納して全体的に半円柱の形状を有することを特徴とする。
2008515587.tif 000002
【特許請求の範囲】
【請求項１】
局部的自体振動機能と陰イオン発生機能を有する半円柱形状の枕において、
内部に一定空間を形成して振動モーターを設置し、前記振動モーターに振動子が連結されて構成された振動発生部と、
一定個所に突起が形成され、前記突起は枕の表面に形成された溝に一定高さ突出するように構成された突起部と、
陰イオン発生パッド部の上部にパッドコーティング部を形成して枕に付着するための付着部が形成されている陰イオン発生部で構成され、
前記振動発生部と前記陰イオン発生部を収納して全体的に半円柱形状の本体で構成された振動および陰イオン発生枕。
【請求項２】
前記陰イオン発生部は帯形状のパッド型に形成されて枕の本体に形成された付着部に付着され、前記パッド上には陰イオン発生の量を調節し得るように多孔性物質でコーティングされることを特徴とする請求項１記載の振動および陰イオン発生枕。
【請求項３】
前記陰イオン発生部の帯形状のパッドは一般的に知られた陰イオン発生粉末を液状に混合処理してパッド形状に製造されることを特徴とする請求項１記載の振動および陰イオン発生枕。
【請求項４】
前記振動子には一定大きさ以上の半円形の末端を有するマッサージ部31がモーター５を通じて連結されて上下・左右へ一定な速度で楕円運動をするように構成して枕使用者の首部位の経絡部をマッサージする機能を有するように構成されることを特徴とする請求項１記載の振動および陰イオン発生枕。
【請求項５】
前記半円柱型枕の本体は硬い木材やプラスチックまたは椰子皮殻の圧搾物、硬質のスポンジで製造されることを特徴とする請求項１乃至４の何れ１項記載の振動および陰イオン発生枕。
【請求項６】
前記椰子皮殻の圧搾物でなった半円柱型枕の本体を製造するとき、陰イオン発生物質を一定比率に混合して製造することを特徴とする請求項５記載の振動および陰イオン発生枕。
【請求項７】
前記振動発生部と前記陰イオン発生部を収納する-枕本体の内部下端部には漢薬材または小さい微細な粒部材が充填されていることを特徴とする請求項１記載の振動および陰イオン発生枕。
【請求項８】
前記振動発生部と前記陰イオン発生部を収納する本体の形状が５角形・６角形・８角形・梯形形状の柱のうち何れ一つで構成されたことを特徴とする請求項１記載の振動および陰イオン発生枕。
【請求項９】
局部的自体振動機能と陰イオン発生機能を有する半円柱形状の枕において、
内部に一定空間を形成して振動モーターを設置し前記振動モーターに振動子が連結されて構成された振動発生部と、
一定大きさ以上の半円形の末端を有し、モーターにより上下・左右へ一定な速度で楕円運動をするマッサージ部と、
そのマッサージ部の両方に近接して配置され枕の表面に形成された溝に一定高さ突出するように構成された突起部と、
前記マッサージ部および突起部を駆動させるモーターが選択するスイッチ部と、
陰イオン発生パッド部の上部にパッドコーティング部を形成して枕に付着するための付着部が形成されている陰イオン発生部で構成され、
前記振動発生部と前記陰イオン発声部を収納して全体的に半円柱の形状の本体で構成された振動および陰イオン発生枕。
【請求項１０】
前記振動発生部と前記陰イオン発生部を収納する本体の形状が５角形・６角形・８角形・梯形形状の柱のうち何れ一つで構成されたことを特徴とする請求項９記載の振動および陰イオン発生枕。
【発明の詳細な説明】
【技術分野】
【０００１】
本発明は半円柱型枕に関し、より詳細には自体的に長期間陰イオンを発生し周辺空気を浄化して健康を増進するのみならず適当な強度で自体振動をするため、頭皮部分をマッサージする機能と血液循環を助けて健康増進に役立つ機能性半円柱型枕に関する。
【背景技術】
【０００２】
人体の脊椎は頭脳から脊椎内に連結された脊髄を保護し、脊髄は人体の全ての器官即ち目・鼻・心臓・胃・内臓・腎臓・肝などを自律神経に連結して人体外部の全ての情報を頭脳に送り脳の命令を受けて伝達する神経体系である。また、脊椎は人体の姿勢を均衡に維持して正しい姿勢を保持する重要な役割をする。
【０００３】
従って、人体の脊椎は身体と頭脳間の生命作用と免疫作用を統制する重要な役割をする脊髄を保護して人体を均衡に維持するため、人体を自然状態即ち元来の脊椎形状に維持することは人体健康に必須的な要素であるというべきであろう。のみならず、脊椎は人体上体の体重を支えて保つ大梁の役割をするようになる。
【０００４】
人体の脊椎は大体においてＳ字形に曲がったもので、上から第1頚椎から第7頚椎までの頚部湾曲部、第1胸椎から第12胸椎までの胸部湾曲部、第1腰椎から第5胸椎までの腰部湾曲部薦骨・尾骨で構成された薦部湾曲部(尻部)に大きく分けられる。
【０００５】
従って、このような脊椎を安楽な状態に維持するために、人間は昔から就寝などと休息のために就床するとき首に連なる脊椎を正しく維持するために枕を使用して来た。このような枕は通常詰め物を粗糠や合成樹脂材チップなどを用いているが、このような枕は脊椎のうち首部位を安定に支持し得ないため最近には一名‘メモリフォーム(memory  foam)’と称する合成樹脂材を発泡させたフォーム(foam)で成った枕が広く普及されている。しかし、このようなメモリフォーム枕は頭部と首を安定的に支持するのは事実であるが、通気が全くなされないため睡眠時に汗を多くかく体質や夏節期などには分泌された汗に因り細菌の繁殖および悪臭発生など衛生性が非常に不潔になるなど多くの問題点がある。
【０００６】
また、最近各種の機能性寝具類が多く登場しているが、そのうちでも健康と関連した磁性・遠赤外線・抗菌・脱臭などの機能を有する機能性プラスチック製品らも多様に展示されている。例えば、韓国公開特許第1999−0049582号は機能性寝具類に関するもので、寝具類を製造するとき磁性体を用いている。また、韓国実用新案出願第2002−0021566号の“低弾性ポリウレタンフォームで製造された枕”はメモリフォームにトルマリン系列またはガネット系列の粉末を単独にまたは混合して発泡成型されたものであるのを特徴とする枕を記載しているが、この考案では単に陰イオン効果と遠赤外線効果だけを言及している。
【０００７】
前記の通り、従来の陰イオン効果と遠赤外線効果などを有する寝具もその自体としては優れた機能であるが、人間の睡眠において呼吸と脊椎の安定な姿勢の維持および衛生的な側面の重要性を考慮すればもっと改良された枕の提供を必要としている。
【０００８】
前記従来の問題点を解決するために、韓国特許出願第2001−0063794号の“振動按摩温熱物理治療枕”は「振動按摩温熱物理治療枕において、前記振動按摩温熱物理治療枕の外体形状は通常の枕とは異に頭と首と肩が触れる部位の形状が人体構造に合うように曲がっている形状で構成され、首と肩が触れる部位の発熱体手段部の構造形状がS字形状の半円形に構成されるのが特徴であり、特に、首と肩が触れる部分だけ選別的に熱が発生される発熱体手段部が構成されており、発熱体手段部に外接する皺形状のチューブ熱発生部が構成され、両側の肩筋肉が触れる発熱体手段部の一部に垂直振動按摩器が構成され、発熱体手段部の他端に弾性体を有する枕の上端部が構成され、発熱体手段部の他端には制御機装着部が構成され、制御機装着部の一側間に電子回路部が構成され、電子回路部の他端に電源連結用電線自動巻きリール装置部が構成され、電線自動巻きリール装置部の他端にエアポンプ室が構成され、エアポンプ室内に電動式コンプレッシャーや手動操作収縮機が構成され、枕の上端部と制御機装着部の間に枕上端部の高低を調節するエアチューブが構成され、制御機装着部の外部側面に本枕の各機能らを電子制御させる制御スイッチング部で構成される振動按摩温熱物理治療枕」を開示しており、同第1998−0014600号の“振動とタイマーを兼ねた磁石枕”は、図1に示された通り、「箱体12で構成される枕本体10において、箱体12の外面に多数の磁石素子16を配列して軟質の被覆体14で被覆し、箱体12内には振動機20を着設してタイマー24で制御することを特徴とする振動とタイマーを兼ねた磁石枕」を開示している。また、同第2000−0027543号の“高麗朝鮮松枕”は、図2に示した通り、「朝鮮松を伐採し半分に割って半円形に作り中は空にしてその中は引き出しを組み入れて引き出すことができるようにし、枕の上部分(首が触れる部分)に3列に40個の孔を1cm間隔で穿孔して引き出し内に32種の漢薬材を入れて頚椎の矯正、頭痛、神経痛、歯痛などの疾病治癒が可能な枕」を開示している。
【０００９】
また、日本国特許出願第2001−332943号は“吸湿・除臭・陰イオン発生・遠赤外線発生効果があり、発汗時に腐敗と黴が発生しないように通気性と良好な触感を有する枕充填材およびこれを用いた枕を提供するために、枕充填材が天然の蕎麦殻で成り該蕎麦殻に竹木材と松脂を添加しこれを充填した被覆布で成る枕”を開示しており、同第1999−325861号は“肥満に基因した鼾をかく人と風邪を治療するために寝ている間に経穴を習慣的にマッサージするのを容易にするためのもので、上端面外形は円または半円形を基本とした曲線で凸部を形成し、下端面外形は円または半円形の直径が同一であるかまたはもっと大きく安定的なベースにして反撥力が強い材料で作られた枕”を開示している。
【００１０】
しかし、前記従来の技術らは依然と最も快適な状態で脊椎を維持して優れた通気性を提供しもっと付加的に枕を使用するに従って健康の増進という機能性枕の提供の側面で全てを充分に満足させることができない実情である。
【００１１】
従って、本発明者達は前記の如き諸問題点を勘案してこれを解決し得る枕を提供するために鋭意研究した結果、次のような本発明の特定構造を有する機能性枕を提供することによりこのような目的を達成し得る本発明を完成するに至った。
【発明の開示】
【発明が解決しようとする課題】
【００１２】
本発明は前記の如き点らを勘案して案出されたもので、従って本発明の目的は最も快適な状態に脊椎を維持し、優れた通気性を提供し、また、付加的に枕を使用するに従って健康の増進という付加的な機能を有する振動および陰イオン発生枕を提供するためのものである。
【００１３】
また、本発明の別の目的は前記の機能を有する枕を最も簡単な構造に構成して容易でありながらも低廉に製造し得る振動および陰イオン発生枕を提供するためのものである。
【００１４】
また別の目的はマッサージ機能および振動機能を夫々別個に遂行および共に遂行し得る振動および陰イオン発生枕を提供しようとするのである。
【００１５】
また別の目的は首を支える枕の機能のみならず、体の諸部位にも使用し易い構造の振動および陰イオン発生枕を提供しようとするのである。
【課題を解決するための手段】
【００１６】
前記の目的を達成するための本発明は、局部的自体の振動機能と陰イオン発生機能を有する半円柱形状の枕において、内部に一定空間を形成して振動モーターを設置しその振動モーターに振動子が連結されて構成された振動発生部と、一定個所に突起が形成されその突起は枕の表面に形成された溝に一定高さ突出するように構成された突起部と、陰イオン発生パッド部の上部にパッドコーティング部を形成して枕に付着するための付着部が形成されている陰イオン発生部で構成され、前記振動発生部と前記陰イオン発生部を収納して全体的に半円柱形状の本体で構成されたことを特徴としている。
【発明を実施するための最良の形態】
【００１７】
以下、本発明の実施例を添付された図面により詳細に説明する。
【００１８】
図3は本発明の望ましい実施形態による半円柱型枕を図示した斜視図および半円柱型枕に付着されたパッド型陰イオン発生部を拡大した断面図である。
【００１９】
半円形状の枕1の左・右側には長い帯形状の陰イオン発生部2を有しており、この陰イオン発生部2は陰イオン発生パッド部7の上部にパッドコーティング部6を形成して成る。
【００２０】
また、半円形状の枕1には多数個の突起部3が形成されたのを示しており、この突起部と後述する振動発生部は図4に示した通りである。
【００２１】
前記振動発生部は枕本体の内部に一定空間を形成して振動モーター5を設置し、その振動モーターに振動子4が連結されるように構成されている。
【００２２】
また、前記振動子4は一定個所に突起3を形成し、その突起3は枕の表面に形成された溝に一定高さ突出するように構成されている。
【００２３】
前記陰イオン発生部2は、図３で前述した通り、枕に付着するための付着部があり、陰イオンを発生する本体部7で構成されて前記付着部が枕の陰イオン発生器付着部に付着され、前記振動発生部と前記陰イオン発生部を収納して全体的に半円柱の形状を有するようにしたのである。
【００２４】
図5は本発明の別の実施形態による半円柱型枕を図示した斜視図および半円柱型枕に付着されたパッド型陰イオン発生部とマッサージ部が形成された前記陰イオン発生部を拡大した断面図である。
【００２５】
この構成によれば、前記陰イオン発生部2は帯形状のパッド型7に形成されて枕の本体に形成された陰イオン発生部付着部に付着され、前記パッド上には陰イオン発生の量を調節し得るように多孔性物質でコーティングしたパッドコーティング部6を形成することができる。
【００２６】
前記本発明による陰イオン発生パッドは望ましくは一般的に知られた陰イオン発生粉末を液状に混合処理してパッド形状に作り帯形状のパッド型に形成して用いるのが好ましい。もっと望ましくは前記陰イオン発生パッドの上面に多孔性物質で成るコーティング材を塗ってコーティングして用いるのが好ましい。
【００２７】
本発明のまた別の構成によれば、前記振動発生部は一定大きさ以上の半円形の末端を有するマッサージ部31がモーター5により上下・左右へ一定な速度で楕円運動をさせることにより枕使用者の首部位の経絡部をマッサージする機能を有するように構成することができる。
【００２８】
また、前記マッサージ機能と前記振動発生機能が組み合わせられて両機能が共に使用されることもできる。
【００２９】
このように、マッサージ機能と振動発生機能を組み合わせて構成したものを図7に示している。
【００３０】
ここでも内部に一定空間を形成して振動モーター5を設置し、その振動モーターに振動子が連結されて構成された振動発生部を有している。
【００３１】
また、この振動発生部により駆動されるマッサージ部31と突起部3を多数個有しているマッサージ部3は一定大きさ以上の半円型の末端を有し、モーターにより上下・左右へ一定な速度で楕円運動をするように構成されている。
【００３２】
また、突起部3は前記マッサージ部31の両方に近接して配置され、枕の表面に形成された溝に一定高さ突出するように構成された振動子に連結されるように構成されている。
【００３３】
このように、マッサージ部31の両方に突起部3が位置するようにしてマッサージの機能と振動機能を同時に遂行し得るもので首部位の経穴を刺戟して血液循環を促進させる場合より優れた効果を期待することができる。
【００３４】
即ち、首部位の凹部位にはマッサージ部の棒で刺戟するようになり、凹部位の両側の筋肉位置には突起部3が振動を加えるようになる。
【００３５】
図8は本発明で用いられるマッサージの機能と振動機能を同時に遂行および選択し得る回路を図示している。
【００３６】
本発明が実施される枕には第1駆動部10、第2駆動部20および第3駆動部30を備えており、夫々の駆動部内には突起部3およびマッサージ部31を備えている。
【００３７】
前記突起部3およびマッサージ部31は夫々振動子を通じてモーターと結線されているが、この結線状態は省略しており、夫々の駆動部はスイッチ部15のスイッチらS11、S12、S21、S22、S31、S32を通じて電源と連結されている。
【００３８】
スイッチS11を選択する場合には第1駆動部10内の突起部3が駆動して振動を行い、スイッチS12が選択される場合にはマッサージ部31がマッサージの機能を遂行し、スイッチS11、S12が選択されるとマッサージおよび振動機能を共に遂行するようになる。
【００３９】
前記第2駆動部20および第3駆動部30内の夫々スイッチらも前記と同一の駆動をする。
【００４０】
図9は本発明の半円柱型枕の断面図である。
【００４１】
ここで、本発明の半円柱型枕の材質9は特定のものに限定されるのではないが、望ましくは硬い木材やプラスチックまたは椰子皮殻の圧搾物、硬質のスポンジが好ましい。このようにすることにより汗の発生を防止し首の骨を正しく維持することができるようになる。
【００４２】
特に、半円柱型枕1で前記振動発生部と前記陰イオン発生部を収納する枕本体の内部下端部11には漢薬材または小さい微細な粒部材が充填されていて、これは使用時に漢薬成分の香りが揮発されてアロマ香りのような効果を得ることができ、小さい微細な粒部材が充填されているため首の重さが枕に加えられる場合にはクッションの役割と共に下部面と枕が良く密着される条件(摩擦条件)を与えることができる。
【００４３】
本発明のまた別の構成によれば、前記本発明の半円柱型枕の材質９になるプラスチック、椰子皮殻の圧搾物、または硬質のスポンジを利用して本発明の枕形状を製造するとき、通常の陰イオン発生物質を一定比率に混合して付加することにより枕自体から陰イオンが持続的に発生するようにすることができる。
【００４４】
即ち、本発明の半円柱型枕の材質が椰子皮殻の圧搾物または硬質のスポンジ或はこれらの混合でなる場合、前記陰イオン発生物質を一定比率に混合して前記枕を製造することができる。
【００４５】
前記のように構成することにより別途の陰イオン発生部を設置しなくても長時間陰イオンを一定に発生させることができる。
【００４６】
また、本発明の半円柱型枕の陰イオン発生は前記枕の陰イオン発生物質を一定比率に混合した不織布でくるんだ形態で製造して枕から陰イオンを発生させることができる。
【００４７】
尚、望ましくは前記本発明の半円柱型枕は適当な綿材質の枕カバーに包み使用するのが好ましい。
【００４８】
本発明のまた別の構成によれば、前記本発明の半円柱型枕のサイズは特に限定されないが、一般的に3〜20cmの高さを有する大きさに製作されて幼児や成人が全て各自の趣向に合うサイズの枕を使用することができる。
【００４９】
図10乃至図12には本発明の枕の形状が異なる実施例を図示しているが、前述の通り半円柱型枕の形状を変更した例を示している。
【００５０】
即ち、前記振動発生部と前記陰イオン発生部を収納する枕本体の形状が５角形・６角形・８角形・梯形の柱のうち何れ一つに構成することができる。
【００５１】
図10のような梯形の形状に適用する場合、内部材質９が硬質の材質で構成されていてクッション力を受け難い場合には前記半円柱型の枕より低い高さにすることができるので、枕を高く使用しなければならない問題点を解消することができる。
【００５２】
また、５角形(図１１)および６角形の場合、首にのみ使用しなく腕や足の関節が曲がる間に嵌め入れて使用するときにその効果が優れる。
【００５３】
これは前記角形で角を成す部分にも前述の通りマッサージ棒が形成されたマッサージ部および振動を加える突起部が夫々形成されているので、身体の多方面に振動およびマッサージ機能を付与することができるからである。
【００５４】
また、本発明で、図12の通り、８角形柱の枕を形成する場合にはその角が円に近いため腹部に枕を当てて腹這いになって使用する場合に諸角度からマッサージおよび振動力を付加することができる効果がある。
【００５５】
前記のように構成される本発明は次のような作用効果を有する。即ち、一般的に、空気中には目に見えない酸素・炭素ガス・窒素・水素などの微粒子や分子らが浮遊しているが、これら夫々は電子を失いプラス電気を帯びた陽イオンや電子を得てマイナス電気を帯びた陰イオンで存在することができる。通常陰イオンは各種の悪臭を除去し、有機物質を沈澱させ、空気を浄化し、人体に有害な電子波を除去する効能が有る。即ち、森の中や瀑布・温泉等地で人体に感じられる爽快感は陰(−)電荷を帯びた空気中の陰イオンのためであり、陰イオンを吸い込むと細胞の新陳代謝を促進し活力を増進させ、血を清くし神経安定と疲労回復、食欲増進の効果があるものと知られている。従って、本発明により陰イオンを発生する半円柱型の枕は持続的に適正量の陰イオンを発生するため、本発明の枕を使用することにより使用者に前述のような陰イオンの優れた効果を提供することができる。
【００５６】
また、本発明の振動発生部の構成により枕を使用する使用者の首を持続的にマッサージして首付近の経穴を刺戟することにより血液循環を増進して疲労を短時間内に回復し、脳に酸素を豊富に供給して頭を清くし健康を増進する作用効果がある。
【産業上の利用可能性】
【００５７】
前記のとおり構成される本発明の振動および陰イオン発生枕は陰イオン発生部を備えて持続的に陰イオンを発生することにより各種の悪臭を除去し、空気を浄化させ、人体に有害な電子波を除去する効能があり、振動発生部を備えて枕使用者の首を持続的にマッサージして首付近の経穴を刺戟することにより血液循環を増進して健康を増進する作用効果がある。
【００５８】
また、本発明の半円柱型枕は硬い材質で半円柱形状に作られるため寝るときに首の骨を保護する機能があるのみならず、通風機能が優れて汗を多くかく使用者が用いても枕の吸湿を防止して衛生上有益である。  
【図面の簡単な説明】
【００５９】
【図１】図1は従来の振動とタイマーを兼ねた磁石枕を図示した図面である。
【図２】図2は従来のまた別の実施形態である高麗朝鮮松枕の斜視図である。
【図３】図3は本発明の望ましい実施形態による半円柱型枕を図示した斜視図であって、半円柱型枕に付着されたパッド型陰イオン発生部を拡大した断面図である。
【図４】図4は本発明により振動発生部が装着された半円柱型枕の内部を図示した断面図である。
【図５】図5は本発明の別の実施形態による半円柱型枕を図示した斜視図であって、半円柱型枕に付着されたパッド型陰イオン発生部とマッサージ部が形成された前記陰イオン発生部を拡大した断面図である。
【図６】図6は本発明によるマッサージ部が装着された半円柱型枕の内部を図示した断面図である。
【図７】図7は本発明の半円柱型枕の内部を図示した断面図である。
【図８】図8は本発明で用いられるマッサージの機能と振動機能を同時に遂行および選択し得る回路図である。
【図９】図9は本発明で用いられている半円柱型枕の断面図である。
【図１０】図10は本発明の枕の形状に対する別の実施例を図示した断面図である。
【図１１】図11は本発明の枕の形状に対するまた別の実施例を図示した断面図である。
【図１２】図12は本発明の枕の形状に対するまた別の実施例を図示した断面図である。
【符号の説明】
【００６０】
１：枕本体                          ２：陰イオン発生部
３：突起部                          ４：振動子
５：振動モーター                    ６：パッドコーティング部
７：陰イオン発生パッド部            31：マッサージ部
【図１】
2008515587.tif 000003
【図２】
2008515587.tif 000004
【図３】
2008515587.tif 000005
【図４】
2008515587.tif 000006
【図５】
2008515587.tif 000007
【図６】
2008515587.tif 000008
【図７】
2008515587.tif 000009
【図８】
2008515587.tif 000010
【図９】
2008515587.tif 000011
【図１０】
2008515587.tif 000012
【図１１】
2008515587.tif 000013
【図１２】
2008515587.tif 000014
【国際調査報告】
2008515587.tif 000015
2008515587.tif 000016